(57)【特許請求の範囲】
【請求項１】
予め定めた基準シャフトを装着したゴルフクラブを用いて行う試打の計測パラメータと、複数種類のシャフトのうちの推奨シャフトと、の対応関係を示す推奨シャフト情報を記憶した記憶手段と、
前記ゴルフクラブを用いてユーザが実際に行った試打に関する前記計測パラメータの計測結果を取得する取得手段と、
前記取得手段が取得した前記計測結果に基づき、前記推奨シャフト情報を参照して推奨シャフトを選択する選択手段と、
前記選択手段が選択した推奨シャフトを示す情報を出力する出力手段と、を備え、
前記記憶手段に記憶された前記推奨シャフト情報は、
シャフトの剛性分布と前記計測パラメータとの関係に基づき推奨シャフトを規定した情報であり、
前記計測パラメータが、打球の左右の打出角と、打球の上下の打出角と、打球のサイドスピン量及びサイドスピンの方向と、打球のバックスピン量と、を含み、
前記記憶手段に記憶された前記推奨シャフト情報が、
前記左右の打出角及び前記サイドスピンの方向と、推奨シャフトとの対応関係を示す第１推奨シャフト情報と、
前記上下の打出角及び前記バックスピン量と、推奨シャフトとの対応関係を示す第２推奨シャフト情報と、を含み、
前記選択手段は、
前記取得手段が取得した前記計測結果のうち、前記左右の打出角及び前記サイドスピン量が予め定めた規定範囲外にある場合は、前記左右の打出角及び前記サイドスピンの方向の前記計測結果に基づき、前記第１推奨シャフト情報を参照して推奨シャフトを選択する一方、
前記取得手段が取得した前記計測結果のうち、前記左右の打出角及び前記サイドスピン量が前記規定範囲内にある場合は、前記上下の打出角及び前記バックスピン量の前記計測結果に基づき、前記第２推奨シャフト情報を参照して推奨シャフトを選択することを特徴とするシャフト選択支援装置。
【請求項２】
予め定めた基準シャフトを装着したゴルフクラブを用いて行う試打の計測パラメータと、複数種類のシャフトのうちの推奨シャフトと、の対応関係を示す推奨シャフト情報を記憶した記憶手段と、
前記ゴルフクラブを用いてユーザが実際に行った試打に関する前記計測パラメータの計測結果を取得する取得手段と、
前記取得手段が取得した前記計測結果に基づき、前記推奨シャフト情報を参照して推奨シャフトを選択する選択手段と、
前記選択手段が選択した推奨シャフトを示す情報を出力する出力手段と、を備え、
前記記憶手段に記憶された前記推奨シャフト情報は、
シャフトの剛性分布と前記計測パラメータとの関係に基づき推奨シャフトを規定した情報であり、
前記計測パラメータが、打球の左右の打出角と、打球のサイドスピンの方向とを含み、
前記記憶手段に記憶された前記推奨シャフト情報が、前記左右の打出角及び前記サイドスピンの方向と、推奨シャフトとの対応関係を示し、
前記記憶手段に記憶された前記推奨シャフト情報は、推奨シャフトとして、
前記左右の打出角が右方向の場合は手元側の所定範囲の剛性差が大きいシャフトを、
前記左右の打出角が左方向の場合は手元側の前記剛性差が小さいシャフトを、
前記サイドスピンの方向がスライス回転を示す場合は先端側の所定範囲の剛性差が大きいシャフトを、
前記サイドスピンの方向がフック回転を示す場合は先端側の前記剛性差が小さいシャフトを、規定することを特徴とするシャフト選択支援装置。
【請求項３】
前記記憶手段に記憶された前記推奨シャフト情報は、
シャフトの手元側の所定範囲の剛性差及び先端側の所定範囲の剛性差と、前記計測パラメータとの関係に基づき推奨シャフトを規定した情報であることを特徴とする請求項１に記載のシャフト選択支援装置。
【請求項４】
前記第１推奨シャフト情報は、推奨シャフトとして、
前記左右の打出角が右方向の場合は手元側の所定範囲の剛性差が大きいシャフトを、
前記左右の打出角が左方向の場合は手元側の前記剛性差が小さいシャフトを、
前記サイドスピンの方向がスライス回転を示す場合は先端側の所定範囲の剛性差が大きいシャフトを、
前記サイドスピンの方向がフック回転を示す場合は先端側の前記剛性差が小さいシャフトを、規定し、
前記第２推奨シャフト情報は、推奨シャフトとして、
前記上下の打出角が相対的に大きい場合は手元側の前記剛性差が大きいシャフトを、
前記上下の打出角が相対的に小さい場合は手元側の前記剛性差が小さいシャフトを、
前記バックスピン量が相対的に大きい場合は先端側の前記剛性差が大きいシャフトを、  前記バックスピン量が相対的に小さい場合は先端側の前記剛性差が小さいシャフトを、規定することを特徴とする請求項１に記載のシャフト選択支援装置。
【発明の詳細な説明】
【技術分野】
【０００１】
本発明は、ゴルフクラブのシャフトの選択を支援する装置に関する。
【背景技術】
【０００２】
近年、ゴルファの間では、より自分に適したゴルフクラブを求める風潮が高まっている。このため、例えば、試打によりヘッドスピードや打球データを測定し、その結果に応じてゴルフクラブを選択する方法（例えば、特許文献１）が提案されている。また、ゴルフクラブのパーツ単位で自分に適したパーツを求める風潮も高まっており、特に自分に適したシャフトを求めるゴルファが多い。このため、例えば、シャフトを容易に交換可能としたゴルフクラブも提案されている（例えば、特許文献２）。
【先行技術文献】
【特許文献】
【０００３】
【特許文献１】特開２００３−１０２８９２号公報
【特許文献２】特開２００９−１７８２９６号公報
【発明の概要】
【発明が解決しようとする課題】
【０００４】
市場に流通しているシャフトの種類は多岐に渡っており、ゴルフショップにおいては、そのゴルファに適したシャフトを厳選して推奨することが重要になりつつある。従来の推奨シャフトの選択においては、主に、シャフトのフレックス（硬さ）によりシャフトを分類し、そのゴルファのヘッドスピード等からそのゴルファに応じたフレックスのシャフトを選択して推奨する場合が多い。しかし、フレックスが略同じシャフトであっても、振り感や試打結果が大きく異なる場合があり、推奨シャフトの新たな選択方法が求められている。
【０００５】
本発明の目的は、個々のゴルファに、より適したシャフトを選択することにある。
【課題を解決するための手段】
【０００６】
本発明によれば、予め定めた基準シャフトを装着したゴルフクラブを用いて行う試打の計測パラメータと、複数種類のシャフトのうちの推奨シャフトと、の対応関係を示す推奨シャフト情報を記憶した記憶手段と、前記ゴルフクラブを用いてユーザが実際に行った試打に関する前記計測パラメータの計測結果を取得する取得手段と、前記取得手段が取得した前記計測結果に基づき、前記推奨シャフト情報を参照して推奨シャフトを選択する選択手段と、前記選択手段が選択した推奨シャフトを示す情報を出力する出力手段と、を備え、前記記憶手段に記憶された前記推奨シャフト情報は、シャフトの剛性分布と前記計測パラメータとの関係に基づき推奨シャフトを規定した情報であり、前記計測パラメータが、打球の左右の打出角と、打球の上下の打出角と、打球のサイドスピン量及びサイドスピンの方向と、打球のバックスピン量と、を含み、前記記憶手段に記憶された前記推奨シャフト情報が、前記左右の打出角及び前記サイドスピンの方向と、推奨シャフトとの対応関係を示す第１推奨シャフト情報と、前記上下の打出角及び前記バックスピン量と、推奨シャフトとの対応関係を示す第２推奨シャフト情報と、を含み、前記選択手段は、前記取得手段が取得した前記計測結果のうち、前記左右の打出角及び前記サイドスピン量が予め定めた規定範囲外にある場合は、前記左右の打出角及び前記サイドスピンの方向の前記計測結果に基づき、前記第１推奨シャフト情報を参照して推奨シャフトを選択する一方、前記取得手段が取得した前記計測結果のうち、前記左右の打出角及び前記サイドスピン量が前記規定範囲内にある場合は、前記上下の打出角及び前記バックスピン量の前記計測結果に基づき、前記第２推奨シャフト情報を参照して推奨シャフトを選択することを特徴とするシャフト選択支援装置が提供される。
また、本発明によれば、予め定めた基準シャフトを装着したゴルフクラブを用いて行う試打の計測パラメータと、複数種類のシャフトのうちの推奨シャフトと、の対応関係を示す推奨シャフト情報を記憶した記憶手段と、前記ゴルフクラブを用いてユーザが実際に行った試打に関する前記計測パラメータの計測結果を取得する取得手段と、前記取得手段が取得した前記計測結果に基づき、前記推奨シャフト情報を参照して推奨シャフトを選択する選択手段と、前記選択手段が選択した推奨シャフトを示す情報を出力する出力手段と、を備え、前記記憶手段に記憶された前記推奨シャフト情報は、シャフトの剛性分布と前記計測パラメータとの関係に基づき推奨シャフトを規定した情報であり、前記計測パラメータが、打球の左右の打出角と、打球のサイドスピンの方向とを含み、前記記憶手段に記憶された前記推奨シャフト情報が、前記左右の打出角及び前記サイドスピンの方向と、推奨シャフトとの対応関係を示し、前記記憶手段に記憶された前記推奨シャフト情報は、推奨シャフトとして、前記左右の打出角が右方向の場合は手元側の所定範囲の剛性差が大きいシャフトを、前記左右の打出角が左方向の場合は手元側の前記剛性差が小さいシャフトを、前記サイドスピンの方向がスライス回転を示す場合は先端側の所定範囲の剛性差が大きいシャフトを、前記サイドスピンの方向がフック回転を示す場合は先端側の前記剛性差が小さいシャフトを、規定することを特徴とするシャフト選択支援装置が提供される。
【発明の効果】
【０００７】
本発明によれば、個々のゴルファに、より適したシャフトを選択することができる。
【図面の簡単な説明】
【０００８】
【図１】本発明の一実施形態に係るシャフト選択支援装置１００を用いた試打システムのブロック図。
【図２】カメラ１３２の撮影画像例を示す図。
【図３】ゴルフクラブ１０の分解斜視図及び剛性分布の説明図。
【図４】（Ａ）はグループＩ〜ＩＶの説明図、（Ｂ）は各グループのシャフトの種類の例を示す図。
【図５】（Ａ）はＣＰＵ１０１が実行する選択支援処理の例を示すフローチャート、（Ｂ）は推奨シャフト情報の説明図。
【図６】ＣＰＵ１０１が実行する選択支援処理の別例を示すフローチャート。
【図７】領域Ｅの説明図。
【図８】（Ａ）はバックスピン量及び上下打出角に基づく推奨シャフト情報の説明図、（Ｂ）はバックスピン量及び上下打出角に基づく別の推奨シャフト情報の説明図。
【図９】（Ａ）はグループＩ〜Ｖの説明図、（Ｂ）は各グループのシャフトの種類の例を示す図。
【発明を実施するための形態】
【０００９】
＜第１実施形態＞
＜装置の構成＞
図１は本発明の一実施形態に係るシャフト選択支援装置１００（以下、支援装置１００という。）を用いた試打システムのブロック図である。支援装置１００は、ＣＰＵ１０１、ＲＯＭ１０２、ＲＡＭ１０３、インターフェース１０４、ＨＤＤ（ハードディスクドライブ）１０５を備え、一般的なコンピュータを用いて構成することが可能である。
【００１０】
ＣＰＵ１０１は、後述するシャフトの選択支援に関わるプログラムを実行する。このプログラムは、ＨＤＤ１０５に格納される。ＨＤＤ１０５には、また、該プログラムの実行に必要なデータ、例えば、後述する推奨シャフト情報や個々のシャフトの情報等が蓄積されている。なお、ＲＯＭ１０２、ＲＡＭ１０３、ＨＤＤ１０５は、それぞれ他の種類の記憶手段であってもよい。
【００１１】
インターフェース１０４は外部デバイスとＣＰＵ１０１との間に介在して、ＣＰＵ１０１による外部デバイスへのデータの出力、或いは、外部デバイスからＣＰＵ１０１へのデータの入力を可能とする。インターフェース１０４は外部デバイスに適したものをそれぞれ設けることができる。
【００１２】
入力装置１１０は、例えば、マウス等のポインティングデバイスや、キーボード等である。入力装置１１０に入力された情報や指示はインターフェース１０４を介してＣＰＵ１０１が取得可能である。ディスプレイ１２０は各種の情報をＣＰＵ１０１の指示に従い電子画像で表示する。例えば、ＣＰＵ１０１は推奨シャフトの選択結果の表示制御をインターフェース１０４を介して行う。
【００１３】
本実施形態の支援装置１００には、試打時に各種の計測パラメータを計測するための計測装置が接続されている。本実施形態の場合、該計測装置は一対のセンサ１３１、１３１と、カメラ１３２、１３２と、を備える。試打は、ティー２１０上に支持されたゴルフボール２００を、矢印で示す方向ｄ１を飛球線方向（ターゲット方向）として、ゴルフクラブで実際に打撃することにより行う。ゴルフボール２００の表面には打球のデータを計測するためのマーク２０１が施されている。
【００１４】
センサ１３１は、例えば、発光素子と受光素子とからなる光センサである。一対のセンサ１３１、１３１は、方向ｄ１に対してティー２１０の僅かに後方であって、方向ｄ１と直交する方向にティー２１０から離間した位置に配置され、かつ、方向ｄ１と平行な方向に離間するよう配置されている。一対のセンサ１３１、１３１は、それぞれ、ゴルフクラブヘッドの通過を検知する。
【００１５】
一対のカメラ１３２、１３２は、方向ｄ１に対してティー２１０の僅かに前方であって、方向ｄ１と直交する方向にティー２１０から離間した位置に配置され、かつ、方向ｄ１と平行な方向に離間するよう配置されている。一対のカメラ１３２、１３２は、それぞれ打球（ゴルフボール２００）を撮影する。
【００１６】
センサ１３１の検知結果及びカメラ１３２の撮影画像のデータは、支援装置１００に取り込まれる。ＣＰＵ１０１は、方向ｄ１で後方側のセンサ１３１がゴルフクラブヘッドの通過を検知してから、前方側のセンサ１３１がゴルフクラブヘッドの通過を検知するまでの時間を計時する。そして、計時した時間と、予め分かっている一対のセンサ１３１、１３１の離間距離と、からヘッドスピードを算出できる。
【００１７】
また、ＣＰＵ１０１は、一対のカメラ１３２、１３２の撮影画像に基づいて、打球のバックスピン量、サイドスピン量及びサイドスピンの方向、上下の打出角、左右の打出角を算出できる。これらは撮影画像に含まれるマーク２０１の位置及び向きの変化と、撮影タイミング及び一対のカメラ１３２、１３２の離間距離に基づいて算出できる。図２はカメラ１３２の撮影画像例を示す図であり、ＩＭＧ１は方向ｄ１で後方側のカメラ１３２の撮影画像例、ＩＭＧ２は前方側のカメラ１３２の撮影画像例を示す。ＩＭＧ２において、破線で示すボール２００、マーク２０１はＩＭＧ１で撮影したボール２００、マーク２０１に相当する。
【００１８】
バックスピン量はマーク２０１の上下方向の回動量から、サイドスピン量及び方向はマーク２０１の左右方向の変位量から、上下の打出角はマーク２０１の上下方向の変位量から算出できる。左右の打出角は、マーク２０１の大きさの変化から算出できる。ＩＭＧ２で示すように、ＩＭＧ１よりもマーク２０１が小さい場合は左方向に打出されたことを示し、その程度により打出角を算出できる。
【００１９】
＜シャフトの剛性分布＞
本実施形態では、複数のシャフトをその剛性分布で分類し、推奨シャフトを選択する。そこで、シャフトの剛性分布について説明する。図３はゴルフクラブ１０の分解斜視図及び剛性分布の説明図である。ゴルフクラブ１０は、シャフト１１、ヘッド１２、グリップ１３からなる。ヘッド１２はウッド型をなしているが、アイアン型でもよい。
【００２０】
シャフト１１のうち、ヘッド１２側を先端、グリップ１３を手元と呼ぶ。通常、シャフト１１は、その剛性（ヤング率×断面２次モーメント）が、先端側から手元側に向かって徐々に増大する。但し、その増大具合は必ずしも線形ではなく、シャフトの種類によって異なっている。
【００２１】
本発明はシャフトの剛性分布がスイングや打球に影響を与えることに着目されたものである。本実施形態では、シャフトの剛性分布のうち、特に、先端剛性差と手元剛性差とによりシャフトを分類し、推奨シャフトを選択するようにしている。
【００２２】
先端剛性差とは、シャフトの先端側の所定範囲の剛性差を意味し、図３では範囲Ｐ１の両端部の剛性差Ｄ１である。手元剛性差とは、シャフトの手元側の所定範囲の剛性差を意味し、図３では範囲Ｐ２の両端部の剛性差Ｄ２である。範囲Ｐ１、Ｐ２は、例えば、シャフトの中央を境にして、先端側に所定長さ（例えば２５０ｍｍ）の範囲を範囲Ｐ１とし、手元側に該所定長さの範囲を範囲Ｐ２とすることができる。なお、範囲Ｐ１、Ｐ２は図３の例のように連続していなくてもよく、シャフトの中央を境にして、先端側、手元側に位置しておれば、互いに離れていてもよい。
【００２３】
本発明の発明者が行った実験では、先端剛性差が大きい場合は、スイング中、シャフト先端を軟らかく感じる傾向にあり、先端剛性差が小さい場合は、スイング中、シャフト先端を硬く感じる傾向にあった。また、手元剛性差が大きい場合は、スイング中、シャフト手元を硬く感じる傾向にあり、手元剛性差が小さい場合は、スイング中、シャフト手元を軟らかく感じる傾向にあった。よって、このようなシャフトの剛性分布を考慮することで、ゴルファのスイング或いは打球の傾向に適したシャフトを推奨することができる。
【００２４】
＜シャフトの分類＞
本実施形態では、先端剛性差の大小と、手元剛性差の大小とによりシャフトを４つのグループＩ〜ＩＶに分類する。図４（Ａ）はグループＩ〜ＩＶの説明図である。グループＩは、相対的に先端剛性差及び手元剛性差の双方が大きいシャフトのグループである。グループＩＩは、相対的に先端剛性差は小さく、相対的に手元剛性差は大きいシャフトのグループである。グループＩＩＩは、相対的に先端剛性差は大きく、相対的に手元剛性差は小さいシャフトのグループである。グループＩＶは、相対的に先端剛性差及び手元剛性差の双方が小さいシャフトのグループである。剛性差の大小は、例えば、先端剛性差であれば、剛性値で０．９〜１．３のいずれかの値を境界とし、手元剛性差であれば１．１〜１．３のいずれかの値を境界とすることができる。なお、本実施形態では、シャフトの剛性分布によって４つのグループＩ〜ＩＶを設定したが、３グループ以下、或いは、５グループ以上のグループ設定も可能である。
【００２５】
図４（Ｂ）は、シャフトの分類例を示している。同図の例ではグループＩ〜ＩＶに分類されると共に、シャフトのフレックス（Ｘ、Ｓ、Ｒの３段階）でもシャフトを分類している。各グループＩ〜ＩＶには少なくとも１種類のシャフトがあれば足りるが、同図の例のように複数種類あるほうが好ましい。また、シャフトのフレックス毎に少なくとも１種類のシャフトがあることが好ましく、同図の例のように複数種類あれば更に好ましい。図４（Ｂ）に示すシャフトの分類情報はＨＤＤ１０５に格納される。
【００２６】
＜試打＞
推奨シャフトの選択にあたっては、予め定めた基準シャフトを装着したゴルフクラブでユーザに実際に試打を行ってもらい、特定の計測パラメータの計測結果を用いる。本実施形態の場合、ヘッドスピード、打球のサイドスピン量及び方向、左右の打出角を推奨シャフトの選択に用いる。支援装置１００のＣＰＵ１０１は、一対のセンサ１３１、１３１及び一対のカメラ１３２、１３２の検知結果、撮影画像を取り込んで各計測パラメータの計測結果を算出し、ＨＤＤ１０５に保存する。各計測パラメータの計測結果は、複数回の試打の平均値とすることが好ましい。
【００２７】
試打で使用する基準シャフトは、その剛性分布に偏りが少ないものが望ましく、例えば、図４（Ａ）において破線で囲った領域に属するような先端剛性差及び手元剛性差が平均程度のものが望ましい。より具体的には、先端剛性差が１．１４程度、手元剛性差が１．２３程度のものが望ましい。
【００２８】
＜シャフトの選択支援処理＞
次に、支援装置１００のＣＰＵ１０１が実行するシャフトの選択支援処理について図５（Ａ）を参照して説明する。図５（Ａ）はＣＰＵ１０１が実行する選択支援処理の例を示すフローチャートである。
【００２９】
Ｓ１では、試打に関する計測パラメータの計測結果を取得する。本実施形態の場合、試打の計測結果はＨＤＤ１０５に保存されている。したがって、ＨＤＤ１０５から計測結果を読み出すことによりこれを取得する。ユーザが過去に試打を行っているものの、ＨＤＤ１０５に計測結果が保存されていない場合であって、ユーザが試打の計測結果を知っている場合は、入力装置１１０から計測結果を手入力し、ＣＰＵ１０１がその入力を受け付けることで計測結果を取得する。更に、支援装置１００がネットワークインターフェースを有してインターネット等のネットワークに接続可能な構成の場合、ネットワークを介して計測結果の入力を受付け、これを取得するようにしてもよい。
【００３０】
Ｓ２では推奨シャフトを選択する。推奨シャフトの選択は、Ｓ１で取得した計測結果に基づき、ＨＤＤ１０５に予め記憶した推奨シャフト情報を参照して行う。図５（Ｂ）は推奨シャフト情報の説明図である。
【００３１】
推奨シャフト情報は、基準シャフトが装着されたゴルフクラブを用いて行う試打の計測パラメータと、複数種類のシャフトのうちの推奨シャフトと、の対応関係を示す情報であり、本実施形態の場合、以下に述べるように、シャフトの剛性分布と計測パラメータとの関係に基づき推奨シャフトを規定している。
【００３２】
本実施形態の場合、推奨シャフト情報は、図５（Ｂ）に示すようにサイドスピン量及び方向、及び、左右打出角と、推奨シャフトのグループとの対応関係を示す情報として構成されている。なお、サイドスピンの方向は右打ちを基準としてスライス回転、フック回転を規定している。
【００３３】
図５（Ｂ）の例の場合、左右打出角が右方向か左方向かと、サイドスピンの方向がスライス回転かフック回転かで、４つの領域Ａ乃至Ｄが規定されている。左右打出角は、試打を行ったユーザのスイング軌道の指標となる。つまり、左右打出角が右の場合はインサイドアウトのスイング軌道であり、左の場合はアウトサイドインのスイング軌道と評価し得る。また、サイドスピンは、試打を行ったユーザのインパクト時のフェース面の向きの指標となる。つまり、サイドスピンの方向がスライス回転の場合はインパクト時にフェース面が開いており、フック回転の場合はインパクト時にフェース面が閉じていると評価し得る。
【００３４】
スイング軌道及びインパクト時のフェース面の傾向と、シャフトの剛性分布とは以下の関係にあると評価できる。まず、スイング軌道がインサイドアウトのユーザは、いわゆるタメを効かせてゴルフクラブを振る傾向にある。したがって、手元側がしっかりとしたゴルフクラブの方が振り易く、よって手元が硬いシャフトが適している。逆に、スイング軌道がアウトサイドインのユーザは、いわゆるタメが余り無くゴルフクラブを振る傾向にある。したがって、手元側がやわらかいゴルフクラブの方が振り易く、よって手元が軟らかいシャフトが適している。
【００３５】
次に、インパクト時にフェースが閉じるユーザは、弾道が強いフックになることを抑制する観点から、インパクト時にヘッドが走らない方が好ましい。したがって、先端が硬いシャフトが適している。逆に、インパクト時にフェースが開くユーザは、弾道が強いスライスになることを抑制する観点から、インパクト時にヘッドが走る方が好ましい。したがって、先端が軟らかいシャフトが適している。
【００３６】
図５（Ｂ）において、Ａ領域は左右打出角が右で、サイドスピンの方向はスライス回転である。よって、手元が硬く先端が軟らかいシャフトが適しており、推奨シャフトとしてグループＩが対応づけられている。Ｂ領域は左右打出角が右で、サイドスピンの方向はフック回転である。よって、手元及び先端の双方が硬いシャフトが適しており、推奨シャフトとしてグループＩＩが対応づけられている。
【００３７】
Ｃ領域は左右打出角が左で、サイドスピンの方向はスライス回転である。よって、手元及び先端の双方が軟らかいシャフトが適しており、推奨シャフトとしてグループＩＩＩが対応づけられている。Ｄ領域は左右打出角が左で、サイドスピンの方向はフック回転である。よって、手元が軟らかく先端が硬いシャフトが適しており、推奨シャフトとしてグループＩＶが対応づけられている。
【００３８】
ＣＰＵ１０１は、Ｓ２の処理において、Ｓ１で取得した左右打出角及びサイドスピンの方向の計測結果から、Ａ乃至Ｄの領域のいずれにユーザが属するかを特定する。そして、グループＩ乃至ＩＶのうち、特定した領域に対応するシャフトのグループを特定する。更に、Ｓ１で取得したヘッドスピードから、そのユーザに適したシャフトのフレックスを特定する。例えば、ヘッドスピードが４２ｍ／ｓ未満であればＲを、４２ｍ／ｓ以上４７ｍ／ｓ未満であればＳを、４７ｍ／ｓ以上であればＸを、特定する。
【００３９】
そして、図４（Ｂ）に示したシャフトの分類情報を参照して、特定したグループ及びフレックスに属するシャフトを推奨シャフトとして選択する。例えば、グループＩ及びフレックスＸが特定された場合、推奨シャフトは、"Astro75"と"TDR-70"の２つとなる。
【００４０】
なお、本実施形態ではグループの特定→フレックスの特定という手順を踏んだが、フレックスの特定→グループの特定という手順でもよい。また、本実施形態では、推奨シャフト情報とシャフトの分類情報とを別々にＨＤＤ１０５に記憶する構成としたが、これらを合体して推奨シャフト情報を構成してもよい。
【００４１】
図５（Ａ）に戻り、Ｓ３では選択結果を出力する。ここではＳ２で選択した推奨シャフトを示す情報を出力する。推奨シャフトを示す情報としては、例えば、そのシャフトの名称であるが、そのシャフトのスペック等の情報も含むこともできる。情報の出力は、本実施形態の場合、ディスプレイ１２０に表示することにより行う。しかし、例えば、音声で出力してもよい。また、支援装置１００がネットワークインターフェースを有してインターネット等のネットワークに接続可能な構成の場合、ネットワークを介してユーザのコンピュータに該情報を送信することで、出力するようにしてもよい。
【００４２】
このように、本実施形態では、シャフトの剛性分布を考慮して推奨シャフトを選択することにより、個々のゴルファに、より適したシャフトを選択することができる。特に、左右打出角及びサイドスピンの方向と、シャフトの剛性分布とを対応づけたことにより、ユーザであるゴルファのスイング軌道や、インパクト時のフェースの使い方の個性に適したシャフトを推奨できる。なお、本実施形態の場合、左右打出角とサイドスピンの方向との双方によりユーザを分類し、これに対応してシャフトも分類したが、例えば、左右打出角のみでユーザを分類し、これに対応してシャフトも分類してもよいし、サイドスピンの方向のみでユーザを分類し、これに対応してシャフトも分類してもよい。
【００４３】
＜第２実施形態＞
上記第１実施形態では、左右打出角とサイドスピンの方向とによりユーザを分類したが、他の計測パラメータによりユーザを分類してもよい。また、中・上級のゴルファはサイドスピン量や左右打出角の値が小さい場合があり、左右打出角とサイドスピン方向とによる分類のみでは、分類が適切でない場合もある。そこで、本実施形態では、計測パラメータが異なる２種の推奨シャフト情報を用いて推奨シャフトを選択する。
【００４４】
図６は、ＣＰＵ１０１が実行する選択支援処理の別例を示すフローチャートである。Ｓ１１では、試打に関する計測パラメータの計測結果を取得する。上記第１実施形態のＳ１と同様と処理である。
【００４５】
Ｓ１２では領域判定を行う。ここでは、図７に示す推奨シャフト情報を用いて試打を行ったユーザを分類する。図７に示す推奨シャフト情報は図５（Ｂ）に示した推奨シャフト情報と基本的に同じであるが、Ｅ領域が追加されている点においてのみ異なる。Ｅ領域は、左右打出角及びサイドスピン量について予め定めた規定範囲である。例えば、左右打出角が左右でそれぞれ５度以下、サイドスピン量がスライス、フックでそれぞれ１０００ｒｐｍ以下とする。
【００４６】
図６に戻り、Ｓ１３では試打を行ったユーザがＥ領域に分類されるか否か（左右打出角及びサイドスピン量が規定範囲内か）を判定する。該当する場合、そのユーザは中・上級者とみなしてＳ１５へ進む。該当しない場合はＳ１４へ進む。Ｓ１４では図７に示した推奨シャフト情報に基づき推奨シャフトを選択する。上記第１実施形態のＳ２と同じ処理である。
【００４７】
Ｓ１５では、図８（Ａ）に示す推奨シャフト情報に基づき推奨シャフトを選択する。同図の推奨シャフト情報は、バックスピン量及び上下打出角と、推奨シャフトのグループとの対応関係を示す情報として構成されている。
【００４８】
図８（Ａ）の例の場合、バックスピン量が相対的に大きいか小さいかと、上下打出角が相対的に大きいか小さいかとで、４つの領域ａ乃至ｄが規定されている。バックスピン量の大小の閾値は、例えば、ドライバであれば２０００〜３０００ｒｐｍ、好ましくは２５００ｒｐｍ程度である。また、上下打出角の大小の閾値は、例えば、ドライバであれば１２度〜１６度、好ましくは１４度である。
【００４９】
上下打出角は、試打を行ったユーザのスイング軌道の指標となる。つまり、上下打出角が大きい場合はアッパブローのスイング軌道であり、小さい場合はダウンブローのスイング軌道と評価し得る。また、バックスピン量は、試打を行ったユーザがインパクト時に手を積極的に返す傾向（フェースをローテーションさせる傾向）にあるか否かの指標となる。つまり、バックスピン量が大きい場合は、余り手を返さないと、また、バックスピン量が小さい場合は積極的に手を返すと、評価し得る。
【００５０】
スイング軌道及びインパクト時に手を積極的に返すか否かの傾向と、シャフトの剛性分布とは以下の関係にあると評価できる。まず、スイング軌道がアッパブローのユーザは、ヘッドを遅らせてインパクト時にヘッドを走らせること、つまり、ダウンスイングでのタメをつくれず、シャフトの手元側をしならせることができない傾向にある。したがって、手元側がしなるゴルフクラブの方がダウンスイングでタメを作りながら振り易くなり、よって手元が柔らかいシャフトが適している。逆に、スイング軌道がダウンブローのユーザは、インパクト時にヘッドで弾くようにしてボールを叩く傾向にある。したがって、手元側がしっかりとしたゴルフクラブの方が振り易く、よって手元が硬いシャフトが適している。
【００５１】
次に、インパクト時に手を積極的に返す傾向にあるユーザは、手の返しにしたがってフェース面がローテーションすることを好み、穏やかなヘッド挙動を好む。したがって、先端が硬いシャフトが適している。逆に、インパクト時に余り手を返さない傾向にあるユーザは、インパクト時にヘッドが走る方が好ましい。したがって、先端が軟らかいシャフトが適している。
【００５２】
図８（Ａ）において、ａ領域は上下打出角及びバックスピン量の双方が相対的に大である。よって、手元が硬く先端が軟らかいシャフトが適しており、推奨シャフトとしてグループＩが対応づけられている。ｂ領域は上下打出角が相対的に大で、バックスピン量は相対的に小である。よって、手元及び先端の双方が硬いシャフトが適しており、推奨シャフトとしてグループＩＩが対応づけられている。
【００５３】
ｃ領域は上下打出角が相対的に小で、バックスピン量は相対的に大である。よって、手元及び先端の双方が軟らかいシャフトが適しており、推奨シャフトとしてグループＩＩＩが対応づけられている。ｄ領域は上下打出角及びバックスピン量の双方が相対的に小である。よって、手元が軟らかく先端が硬いシャフトが適しており、推奨シャフトとしてグループＩＶが対応づけられている。
【００５４】
ＣＰＵ１０１は、Ｓ１５の処理において、Ｓ１１で取得した上下打出角及びバックスピン量の計測結果から、ａ乃至ｄの領域のいずれにユーザが属するかを特定する。そして、グループＩ乃至ＩＶのうち、特定した領域に対応するシャフトのグループを特定する。更に、Ｓ１１で取得したヘッドスピードから、そのユーザに適したシャフトのフレックスを特定する。そして、図４（Ｂ）に示したシャフトの分類情報を参照して、特定したグループ及びフレックスに属するシャフトを推奨シャフトとして選択する。これらは上記第１実施形態のＳ２の処理と同様である。
【００５５】
図７に戻り、Ｓ１６では選択結果を出力する。ここではＳ１４又はＳ１５で選択した推奨シャフトを示す情報を出力する。上記第１実施形態のＳ３と同様の処理である。
【００５６】
このように、本実施形態では、計測パラメータの異なる２種類の推奨シャフト情報を用いて推奨シャフトを選択するので、ユーザのレベルに応じた推奨シャフトを選択することができる。
【００５７】
＜第３実施形態＞
上記第２実施形態では、図８（Ａ）に示した推奨シャフト情報に関し、上下打出角とバックスピン量とによりユーザを４つに分類したが、５つに分類することもできる。図８（Ｂ）は、上下打出角とバックスピン量とによりユーザを５つに分類した例を示す。図８（Ｂ）の例は、図８（Ａ）の推奨シャフト情報にｅ領域を追加したものである。ｅ領域は、上下打出角及びバックスピン量について予め定めた規定範囲である。
【００５８】
ｅ領域は、例えば、ドライバの場合、上下打出角が１２度以上１６度以下、バックスピン量が２０００〜３０００ｒｐｍの範囲であり、打球の上下打出角及びバックスピン量として、理想的な範囲とすることが好ましい。つまり、ｅ領域に属するユーザは上級者ということになる。
【００５９】
図８（Ｂ）のように推奨シャフト情報を構成した場合、シャフトの剛性分布の分類も５つにする必要がある。図９（Ａ）はグループＩ〜Ｖの説明図、図９（Ｂ）はシャフトの分類情報の例を示す。グループＩ〜ＩＶは上記第１実施形態と同様である。図９（Ａ）に示すようにグループＶは、先端剛性差及び手元剛性差が中間的な数値範囲のものとなっている。シャフトの分類情報の構成はグループＶが追加されただけで、その余は上記第１実施形態のものと同様である。
【００６０】
本実施形態のようにユーザ及び推奨シャフトを５つに分類した場合も、推奨シャフトの選択に関する処理は図６のＳ１５の処理と同様である。このようにすることで、上級者に適したシャフトを選択することができる。但し、ｅ領域の推奨シャフトは優先順位を下げて推奨するという方式も採用可能である。つまり、一旦、図８（Ａ）の分類によりユーザをａ乃至ｄ領域の４領域のいずれかに分類し、グループＩ乃至ＩＶのうち対応するグループのシャフトを第１優先順位の推奨シャフトとする。次いで、ユーザがｅ領域に属する場合には第２優先順位の推奨シャフトとして、グループＶに属するシャフトを推奨シャフトとする。
【図１】
0005461983.tif 000002
【図２】
0005461983.tif 000003
【図３】
0005461983.tif 000004
【図４】
0005461983.tif 000005
【図５】
0005461983.tif 000006
【図６】
0005461983.tif 000007
【図７】
0005461983.tif 000008
【図８】
0005461983.tif 000009
【図９】
0005461983.tif 000010